(57)【要約】【課題】着脱時間を短縮し、着脱の便利性を高めることができるようにしたヘッドカバー及びこれを備えたヘルメットを提供する。【解決手段】本発明のヘッドカバーは、風通しが良くなるようにエアメッシュ素材ででき、使用者の頭部上面に合わせて湾曲して形成された上面を有し、その前方には、使用者の額から排出される汗を吸収するための汗吸収部材が設けられており、汗吸収部材としては、洗濯が可能で、汗の吸収を良くするために綿タオルのような素材が使用される。【選択図】図３
2009256868.tif 000002
【特許請求の範囲】
【請求項１】
風通しを良くするためにエアメッシュででき、使用者の頭の上面に合わせて湾曲して形成された上面を有し、その前方には前記使用者の額から排出される汗を吸収するための汗吸収部材が設けられており、前記汗吸収部材として、洗濯が可能で、汗の吸収を良くするために綿タオルのような素材が使用されることを特徴とする着脱が容易なヘッドカバー。
【請求項２】
前記汗吸収部材を、分離可能に設けることを特徴とする請求項１に記載のヘッドカバー。
【請求項３】
前記汗吸収部材を、固定して設けることを特徴とする請求項１に記載のヘッドカバー。
【請求項４】
前記汗吸収部材と密着するように設けられるフック部材を、さらに含み、
前記フック部材は、軟性のプラスチック材料で形成されることを特徴とする請求項１に記載のヘッドカバー。
【請求項５】
前記フック部材には、複数のフック孔が形成されていることを特徴とする請求項５に記載のヘッドカバー。
【請求項６】
前記汗吸収部材と前記フック部材の前方下端部には、互いに付着される１対の付着手段が設けられていることを特徴とする請求項５に記載のヘッドカバー。
【請求項７】
使用者の頭部を保護するアウターキャップ、
前記アウターキャップの内部に装着されて、外力が直接的に前記頭部に伝達されるのを防止するヘッドバンドと、前記頭部の形状に合わせて調節できる周縁バンドとで構成されたバンド部材、および、
前記バンド部材の内部に設置される請求項１〜請求項３のうちのいずれか１項に記載の前記ヘッドカバーを含み、
前記ヘッドカバーの前記汗吸収部材の終端部が折られて前記周縁バンドの前方に形成された空間に挿入される
ことを特徴とするヘルメット。
【請求項８】
使用者の頭部を保護するアウターキャップ、
前記アウターキャップの内部に装着されて、外力が直接的に前記頭部に伝達されるのを防止するヘッドバンドと、前記頭部の形状に合わせて調節できる周縁バンドとで構成されたバンド部材、および、
前記バンド部材の内部に設置される、請求項４〜６のいずれか１項に記載のヘッドカバーを含み、
前記フック部材は、前記周縁バンドの前方に形成された空間に挿入される
ことを特徴とするヘルメット。
【請求項９】
前記ヘッドカバーの前記汗吸収部材の終端部が折られて、前記周縁バンドの前方に形成された空間に挿入されることを特徴とする請求項８に記載のヘルメット。
【請求項１０】
前記汗吸収部材は、前記周縁バンドを覆うように折られて、前記汗吸収部材と前記フック部材に設けられた１対の付着手段が互いに付着されることを特徴とする請求項９に記載のヘルメット。
【請求項１１】
前記フック部材に形成された前記複数のフック孔に、前記周縁バンドに形成された複数のフック突起が嵌入されることを特徴とする請求項８に記載のヘルメット。
【発明の詳細な説明】
【技術分野】
【０００１】
発明の背景
技術分野
本発明は、ヘッドカバー及びこれを備えたヘルメットに関するものであり、より詳しくは、ヘルメット内部に一部が掛けられるように付着することができ、ヘルメットとの着脱が容易なヘッドカバー及びこれを備えたヘルメットに関する。
【背景技術】
【０００２】
関連技術の説明
ヘッドカバーは、着用感を高め、頭部を保護し、風通しを良くするために、使用者の頭部に触れるようにヘルメットの内部に付着されている。このようなヘッドカバーとヘルメットに関する研究および開発が継続的になされている。その代表的な例として、本出願人の韓国登録実用新案第２０−０４３０６４１号の「安全キャップ」がある。
【０００３】
図１及び図２に示すように、従来の安全キャップ１００は、アウターキャップ１１０、ヘッドバンド１３０、周縁バンド１２０、カバー部材１４０、吸収部材１４１ａ，１４１ｂ，１４１ｃ、ひさし部材１４２などを含んでいる。
【発明の概要】
【発明が解決しようとする課題】
【０００４】
従来の安全キャップ１００は、アウターキャップ１１０の内部に装着されたヘッドバンド１３０及びカバー部材１４０が互いにベルクロテープ（フック（ｈｏｏｋ）およびファスナ（ｆａｓｔｅｎｅｒｓ））１４３ａ，１４３ｂ，１４４ａ，１４４ｂにより着脱可能となっている。
【０００５】
このため、従来の安全キャップ１００は、ベルクロテープ１４３ａ，１４３ｂ，１４４ａ，１４４ｂによりヘッドバンド１３０及びカバー部材１４０が着脱されるので、着脱時間が長くなり、着脱の便利性が低下する。
【０００６】
また、従来の安全キャップ１００は、ベルクロテープ１４３ａ，１４３ｂ，１４４ａ，１４４ｂの数が増加してコストが高くなるという問題点があった。
【０００７】
本発明の概要
そこで、本発明は上記従来の問題点に鑑みてなされたものである。本発明の目的は、ヘッドカバーにフック部材を設けて、このフック部材をヘルメット内部に掛けられるようにすることにより、着脱時間を短縮し、着脱の便利性を高めることができるようにしたヘッドカバー及びこれを備えたヘルメットを提供することである。
【０００８】
本発明の他の目的は、ヘッドカバーを安価なフック部材を介してヘルメット内部に掛けられるようにすることにより、コストを節減することができるようにしたヘッドカバー及びこれを備えたヘルメットを提供することである。
【０００９】
本発明のまた他の目的は、ヘッドカバーを風通しの良いメッシュ構造にすることにより、使用者の頭部で発生する汗を効率的に除去することができるようにしたヘッドカバー及びこれを備えたヘルメットを提供することである。
【課題を解決するための手段】
【００１０】
上記目的を達成するためになされた本発明は、風通しを良くするためにエアメッシュ素材で形成し、使用者の頭の上面に合わせて湾曲して形成された上面を有し、その前方には前記使用者の額から排出される汗を吸収するための汗吸収部材が設けられており、前記汗吸収部材としては、洗濯が可能で、汗の吸収を良くするために綿タオルのような素材が使用されることを特徴とする着脱が容易なヘッドカバーを提供する。
【００１１】
本発明のヘッドカバーにおいて、汗吸収部材を分離可能に設けるか、又は固定して設けることを特徴とする。
【００１２】
また、汗吸収部材と密着して設けられるフック部材をさらに含み、フック部材は、軟性のプラスチック材質で形成されることを特徴とする。
【００１３】
ここで、フック部材には、複数のフック孔が形成されていることを特徴とし、汗吸収部材とフック部材の前方下端部には、互いに付着される１対の付着手段が設けられていることを特徴とする。
【００１４】
また、本発明は、
使用者の頭部を保護するアウターキャップ、
アウターキャップの内部に装着されて、外力が直接的に頭部に伝達されるのを防止するヘッドバンドと、頭部の形状に合わせて調節できる周縁バンドとで構成されているバンド部材、および、
バンド部材の内部で設けられる上記のヘッドカバーを含み、
ヘッドカバーの汗吸収部材の終端部が折られて、周縁バンドの前方に形成された空間に挿入されることを特徴とするヘルメットを提供する。
【００１５】
また、本発明は、
使用者の頭部を保護するアウターキャップ、
アウターキャップの内部に装着されて、外力が直接的に頭部に伝達されるのを防止するヘッドバンドと、頭部の形状に合わせて調節できる周縁バンドとで構成されているバンド部材、および、
バンド部材の内部に形成されるヘッドカバーを含み、
前記フック部材は、前記周縁バンドの前方に形成された空間に挿入されることを特徴とするヘルメットを提供する。
【００１６】
ここで、ヘッドカバーの汗吸収部材の終端部が折られて、周縁バンドの前方に形成された空間に挿入されることを特徴とし、さらに、汗吸収部材は、周縁バンドを覆うように折られて、汗吸収部材とフック部材に形成された１対の付着手段が互いに付着されることを特徴とする。
【００１７】
また、フック部材に形成された複数のフック孔に、周縁バンドに形成された複数のフック突起が嵌入されることを特徴とする。
【発明の効果】
【００１８】
本発明のヘッドカバー及びこれを備えたヘルメットによれば、ヘッドカバーにフック部材が設けられ、このフック部材がヘルメット内部に掛けられることにより、着脱時間が短縮され、着脱の便宜を図ることができる効果を有する。
【００１９】
また、ヘッドカバーが安価なフック部材を介してヘルメットの内部に掛けられるので、製造コストを大きく節減することができる。
【００２０】
また、ヘッドカバーが、風通しが良好なメッシュでできており、使用者の頭部から発生する汗を効率的に除去することができる。
【図面の簡単な説明】
【００２１】
【図１】従来の安全キャップを示す概略斜視図である。
【図２】図１の安全キャップを示す断面図である。
【図３】本発明の好適な一実施形態によるヘッドカバーを示す概略断面図である。
【図４】図３のヘッドカバーが適用されたヘルメットを示す概略断面図である。
【図５】本発明の好適な他の実施形態によるヘッドカバーを示す概略断面図である。
【図６】図５のヘッドカバーが適用されたヘルメットを示す概略断面図である。
【図７】本発明の好適なまた他の実施形態によるヘッドカバーを示す概略断面図である。
【図８】図７のヘッドカバーが適用されたヘルメットを示す概略断面図である。
【発明を実施するための形態】
【００２２】
図面の簡単な説明
本発明の上記および他の目的および有利な点は、添付図面と共に考慮し、次の詳細な説明を参照することにより、直ちに明らかになるであろう。
【００２３】
図１は、従来の安全キャップを示す概略斜視図、
図２は、図１の安全キャップを示す概略断面図、
図３は、本発明の好適な一実施形態によるヘッドカバーを示す概略断面図、
図４は、図３のヘッドカバーが適用されたヘルメットを示す概略断面図、
図５は、本発明の好適な他の実施形態によるヘッドカバーを示す概略断面図、
図６は、図５のヘッドカバーが適用されたヘルメットを示す概略断面図、
図７は、本発明の好適なまた他の実施形態によるヘッドカバーを示す概略断面図、および、
図８は、図７のヘッドカバーが適用されたヘルメットを示す概略断面図である。
【００２４】
好ましい実施形態の詳細な説明
以下、添付した図面を参照して、本発明の好ましい実施形態による着脱が容易なヘッドカバー及びこれを備えたヘルメットについて詳細に説明する。
本発明の一実施形態によるヘッドカバーを図３に示す。
【００２５】
図３に示すように、ヘッドカバー１４０６は、風通しが良くなるようにエアメッシュ素材ででき、上面は使用者の頭部上面に合わせて湾曲して形成されている。エアメッシュ素材は、公知技術の網目（ｈｏｎｅｙｃｏｍｂ）状の上面と下面の間を細い糸が柱となって支持する構造となっている。ヘッドカバー１４０６の前方には、使用者の額と当接して額から排出される汗を吸収するための汗吸収部材１４０８が設けられ、汗吸収部材１４０８と密着するようにヘルメットに掛けられるフック部材１４１０がさらに設けられている。フック部材１４１０には、複数のフック孔ｈ１が形成されている。汗吸収部材１４０８とフック部材１４１０は、ヘッドカバー１４０６の周縁をカバーする際に縁部に縫い付けられる。汗吸収部材１４０８としては、洗濯が可能で、汗の吸収を良くするために綿タオルのような素材が使用され、フック部材１４１０は多少の堅さを維持するために軟性のプラスチック材質で形成される。
【００２６】
次に、図３の実施形態によるヘッドカバーを適用したヘルメットの一実施形態を図４に示す。
【００２７】
図４に示すように、本実施形態によるヘルメット１４００は、アウターキャップ１４０２、バンド部材１４０４、ヘッドカバー１４０６、汗吸収部材１４０８、フック部材１４１０を含む。
【００２８】
アウターキャップ１４０２は、着用者の頭部を保護できるように製作される。このようなアウターキャップ１４０２には、ポリカーボネート系または金属系などの剛性を有する材料が使用される。
【００２９】
バンド部材１４０４は、アウターキャップ１４０２の内部に装着されて、外力が直接的に頭部に伝達されるのを防止し、着用者の顔の形状に合わせて固定できるように調節可能に形成される。すなわち、バンド部材１４０４は、ヘッドバンド１４０４ａと周縁バンド１４０４ｂなどを含む。
【００３０】
ヘッドバンド１４０４ａは、アウターキャップ１４０２の内部に装着されて、アウターキャップ１４０２に加えられた外力が直接的に頭部に伝達されるのを防止するように形成され、周縁バンド１４０４ｂは、ヘッドバンド１４０４ａと連結されて、着用者の顔の形状に合わせて固定できるように調節可能に形成されている。
【００３１】
ヘッドカバー１４０６は、ヘッドバンド１４０４ａの内側に位置している。ヘッドカバー１４０６の前に設けられた汗吸収部材１４０８は、周縁バンド１４０４ｂの裏面に位置する一方、フック部材１４１０は、周縁バンド１４０４ｂの前面に位置している。フック部材１４１０に形成された複数のフック孔ｈ１に、周縁バンド１４０４ｂの前面に形成された複数のフック突起１４０４ｂ１が嵌入される。
【００３２】
このように、本実施形態のヘルメット１４００において、フック部材１４１０に形成されたフック孔ｈ１に、バンド部材１４０４に形成されたフック突起１４０４ｂ１が嵌入されているので、バンド部材１４０４及びヘッドカバー１４０６との締結性がより強化される。
【００３３】
本発明の他の実施形態によるヘッドカバーを図５に示す。
【００３４】
図５に示すように、他の実施形態によるヘッドカバー１４０６は、図３に示したヘッドカバー１４０６と実質的に等しい。異なる点は、汗吸収部材１４０８とフック部材１４１０の前方下端部にベルクロテープのような１対の付着手段１６１２，１６１４が設けられている点である。汗吸収部材１４０８の下端部が折られて１対の付着手段１６１２，１６１４が互いに付着される。
【００３５】
図５の実施形態によるヘッドカバーを適用したヘルメットの他の実施形態を図６に示す。
【００３６】
図６に示すように、本実施形態によるヘルメット１６００は、図４のヘルメット１４００と同様に、アウターキャップ１４０２、バンド部材１４０４、ヘッドカバー１４０６、フック部材１４１０を含み、その構成が同じである。重複をさけるため説明は省略する。
【００３７】
しかし、本実施形態では、図４と同様に、フック部材１４１０に形成されたフック孔ｈ１に、バンド部材１４０４に形成されたフック突起１４０４ｂ１が嵌入されている状態で、汗吸収部材１４０８がバンド部材１４０４を覆いながらフック部材１４１０の前方下端部に位置するように折られ、汗吸収部材１４０８とフック部材１４１０に設けられた１対の付着手段１６１２，１６１４が互いに付着される。
【００３８】
このように、本実施形態のヘルメット１６００は、汗吸収部材１４０８とフック部材１４１０が１対の付着手段１６１２，１６１４により付着されるので、バンド部材１４０４とヘッドカバー１４０６との間の締結性がより強化される。
【００３９】
本発明のまた他の実施形態によるヘッドカバーを図７に示す。
【００４０】
図７に示すように、また他の実施形態によるヘッドカバー１１０６は、図３及び図４に示されるヘッドカバー１４０６とは異なって、汗吸収部材１１０８が着脱可能に分離され、フック部材が設けられていない。
【００４１】
ヘッドカバー１１０６の一側と汗吸収部材１１０８の一側にはベルクロテープのような１対の付着手段１１０６ａ，１１０８ａが設けられている。ヘッドカバー１１０６と汗吸収部材１１０８は、１対の付着手段１１０６ａ，１１０８ａにより簡単に着脱することができる。
【００４２】
図７の実施形態によるヘッドカバーを適用した実施形態によるヘルメットを図８に示す。
【００４３】
図８に示すように、本実施形態によるヘルメット１１００は、図４のヘルメット１４００と同様に、アウターキャップ９０２、バンド部材９０４、ヘッドカバー１１０６、汗吸収部材１１０８を含み、その構成が同じである。重複を避けるため説明は省略する。
【００４４】
ヘッドカバー１１０６は、バンド部材９０４の内側に位置している。ヘッドカバー１１０６の前に付着された汗吸収部材１１０８は、周縁バンド９０４ｂの裏面に位置し、その終端部が折られて周縁バンド９０４ｂの前面に形成された空間に挿入される。
【００４５】
本発明の好ましい実施形態が説明されてきたが、本発明は、好ましい実施形態に限定すべきものではなく、目的とする本発明の精神および範囲の内において、多様な変更および修正を、当業者が実施可能であることが理解される。
【図１】
2009256868.tif 000003
【図２】
2009256868.tif 000004
【図３】
2009256868.tif 000005
【図４】
2009256868.tif 000006
【図５】
2009256868.tif 000007
【図６】
2009256868.tif 000008
【図７】
2009256868.tif 000009
【図８】
2009256868.tif 000010
【外国語明細書】
2009256868000001.pdf
2009256868000002.pdf
2009256868000003.pdf
2009256868000004.pdf